(57)【特許請求の範囲】
【請求項１】
基板と、
前記基板上に線状に配列実装された複数の発光素子と、
前記基板上に固定されて前記発光素子からの光を原稿面に導く導光体と、
前記基板と前記発光素子及び前記導光体を保持し、原稿面からの反射光を通過させる開口部が形成された走査体と、
前記基板と前記走査体との間に介在して両者を電気的に絶縁する絶縁部材と、
を備え、前記走査体が副走査方向に移動することによって原稿画像を読み取る画像読取装置において、
前記走査体に形成された前記開口部の主走査方向両側部分を前記絶縁部材で覆い、且つ、前記絶縁部材の少なくとも前記走査体を覆う部分の表面が、前記反射光のうち前記主走査方向両側部分で反射して前記原稿面へ戻る光の量を低減可能に構成されていることを特徴とする画像読取装置。
【請求項２】
前記基板と前記絶縁部材及び前記走査体の主走査方向に複数の位置決め孔を形成し、前記導光体の主走査方向に形成された複数の位置決めボスを前記位置決め孔に通すことによって前記基板と前記絶縁部材及び前記走査体を前記走査体に対して位置決めすることを特徴とする請求項１記載の画像読取装置。
【請求項３】
前記絶縁部材の少なくとも前記走査体を覆う部分の表面を黒色表面としたことを特徴とする請求項１又は２記載の画像読取装置。
【請求項４】
前記絶縁部材の少なくとも前記走査体を覆う部分の表面を拡散表面としたことを特徴とする請求項１又は２記載の画像読取装置。
【請求項５】
前記絶縁部材の前記走査体を覆う部分は、前記絶縁部材の主走査方向両端部から延びる延長部であることを特徴とする請求項１〜４の何れかに記載の画像読取装置。
【請求項６】
請求項１〜５の何れかに記載の画像読取装置を備えることを特徴とする画像形成装置。
【発明の詳細な説明】
【技術分野】
【０００１】
本発明は、ＬＥＤ等の発光素子からの光によって原稿画像を読み取る画像読取装置とこれを備えた複写機等の画像形成装置に関するものである。
【背景技術】
【０００２】
電子写真方式によって用紙に画像を形成する複写機等の画像形成装置には原稿画像を光学的に読み取るための画像読取装置が備えられているが、この画像読取装置は、一般的には光源等を備えた走査体を光学フレーム内で副走査方向に移動させることによって原稿画像を読み取るよう構成されている。
【０００３】
ところで、走査体は、原稿読取位置精度の確保と高い走行性を確保するために一般には金属部材によって構成されている。ここで、図８に示すように、走査体１６４には、コンタクトガラス１５０ａ上に載置された不図示の原稿で反射した反射光（読取光）が通過するための開口部１６４Ａが形成されているが、光源からの光が原稿又はコンタクトガラス１５０ａで反射し、その反射光が金属製の走査体１６４の開口部１６４Ａの主走査方向（図８の左右方向）両側部分で反射し、再び原稿面又はコンタクトガラス１５０ａに戻り、フレア光として読取光軸を通ってＣＣＤ等の不図示の撮像素子に入射する現象が発生する。このフレア光が撮像素子によって読み取られると、特に低濃度原稿を読み取った際に白縦筋画像となって現れるという問題が発生する。
【０００４】
上記問題を解決するため、例えば特許文献１には、樋上反射鏡の一縁からスリット（開口部）に続く領域に、スリットに向かうに従って原稿面から離隔する方向に傾斜する迷光進入防止用反射面を設け、この迷光進入防止用反射面で迷光を反射させて無効とするようにした原稿照明装置が提案されている。
【０００５】
又、走査体に形成された開口部の主走査方向両側部分の表面に遮光部材を貼り付けるフレア光対策も行われている。
【先行技術文献】
【特許文献】
【０００６】
【特許文献１】実開平１−１０８５３１号公報
【発明の概要】
【発明が解決しようとする課題】
【０００７】
しかしながら、特許文献１において提案されたように金属製の走査体に迷光進入防止用反射面を形成するには多くのコストを要する他、原稿又はコンタクトガラス以外からの外乱光によって迷光（フレア光）がＣＣＤ等の撮像素子に入射する可能性がある。
【０００８】
又、走査体に形成された開口部の主走査方向両側部分の表面に遮光部材を貼り付ける対策では、部品点数が増えてコストアップを招く他、組立工数が増加するという問題がある。そして、読み取りの折り返しミラーを小サイズにするために走査体の開口部の主走査方向幅は読取光の幅分しかなく、読取光を遮らないために遮光部材の貼り付けには高い精度が求められる結果、組立性が悪いという問題がある。遮光部材の貼付精度と組立性を高めるには、遮光部材を走査体に対して固定するための固定部材が必要になる。
【０００９】
本発明は上記問題に鑑みてなされたもので、その目的とする処は、部品点数の増加やコストコストアップ、組立性の悪化等を招くことなく、簡単な構成でフレア光対策を施すことができる画像読取装置及びこれを備えた画像形成装置を提供することにある。
【課題を解決するための手段】
【００１０】
上記目的を達成するため、請求項１記載の発明は、
基板と、
前記基板上に線状に配列実装された複数の発光素子と、
前記基板上に固定されて前記発光素子からの光を原稿面に導く導光体と、
前記基板と前記発光素子及び前記導光体を保持し、原稿面からの反射光を通過させる開口部が形成された走査体と、
前記基板と前記走査体との間に介在して両者を電気的に絶縁する絶縁部材と、
を備え、前記走査体が副走査方向に移動することによって原稿画像を読み取る画像読取装置において、
前記走査体に形成された前記開口部の主走査方向両側部分を前記絶縁部材で覆ったことを特徴とする。
【００１１】
請求項２記載の発明は、請求項１記載の発明において、前記基板と前記絶縁部材及び前記走査体の主走査方向に複数の位置決め孔を形成し、前記導光体の主走査方向に形成された複数の位置決めボスを前記位置決め孔に通すことによって前記基板と前記絶縁部材及び前記走査体を前記走査体に対して位置決めすることを特徴とする。
【００１２】
請求項３記載の発明は、請求項１又は２記載の発明において、前記絶縁部材の少なくとも前記走査体を覆う部分の表面を黒色表面としたことを特徴とする。
【００１３】
請求項４記載の発明は、請求項１又は２記載の発明において、前記絶縁部材の少なくとも前記走査体を覆う部分の表面を拡散表面としたことを特徴とする。
【００１４】
請求項５記載の画像形成装置は、請求項１〜４の何れかに記載の画像読取装置を備えることを特徴とする。
【発明の効果】
【００１５】
請求項１記載の発明によれば、既存の絶縁部材の一部を延ばし、その延ばした部分で走査体の開口部の主走査方向両側部分を覆うことによって、部品点数の増加やコストコストアップ、組立性の悪化等を招くことなく、簡単な構成でフレア光対策を施すことができる。
【００１６】
請求項２記載の発明によれば、導光体に形成された複数の位置決めボスを基板と絶縁部材及び走査体に形成された複数の位置決め孔に通すことによって基板と絶縁部材及び導光体を走査体に対して位置決めするようにしたため、絶縁部材の一部（走査体の開口部の主走査方向両側部分を覆う部分）が走査体の開口部に突出して該開口部を通過する読取光を遮ることがなく、読取動作が正常に安定的になされる。
【００１７】
請求項３記載の発明によれば、絶縁部材の少なくとも走査体を覆う部分の表面を黒色表面としたため、この黒色表面によって反射光が吸収され、フレア光の発生が効果的に防がれる。
【００１８】
請求項４記載の発明によれば、絶縁部材の少なくとも走査体を覆う部分の表面を拡散表面としたため、この拡散表面によって反射光が拡散され、フレア光の発生が効果的に防がれる。
【００１９】
請求項５記載の発明によれば、フレア光に伴う白縦筋画像の発生を防いで高質画像を安定的に得ることができる。
【図面の簡単な説明】
【００２０】
【図１】本発明に係る画像形成装置の縦断面図である。
【図２】本発明に係る画像読取装置の副走査方向の縦断面図である。
【図３】本発明に係る画像読取装置の走査体の斜視図である。
【図４】本発明に係る画像読取装置の走査体に絶縁部材を取り付けた状態を示す斜視図である。
【図５】本発明に係る画像読取装置の走査体に絶縁部材とＬＥＤ基板を取り付けた状態を示す斜視図である。
【図６】本発明に係る画像読取装置の走査体に絶縁部材とＬＥＤ基板及び導光体を取り付けた状態を示す斜視図である。
【図７】図６のＡ−Ａ線断面図である。
【図８】従来の画像読取装置要部の主走査方向の縦断面図である。
【発明を実施するための形態】
【００２１】
以下に本発明の実施の形態を添付図面に基づいて説明する。
［画像形成装置］
図１は本発明に係る画像形成装置の縦断面図であり、図示の画像形成装置は、複写機能とプリンタ機能及びファクシミリ機能を兼備したカラー複合機であって、用紙の両面にカラー画像を形成することができる装置である。このカラー複合機は、装置本体１００とその上部に配された自動原稿搬送装置４０及び原稿読取装置５０を備えており、装置本体１００の内部上方には画像形成部１が配置されている。又、装置本体１００内の下半部には用紙収納部７０が配され、装置本体１００内の画像形成部１と用紙収納部７０の間には転写搬送ユニット８０と両面搬送ユニット９０が配されている。
【００２２】
前記画像形成部１は、電子写真方式によって画像を形成するものであって、タンデムに配置されたマゼンタ画像形成ユニット１Ｍ、シアン画像形成ユニット１Ｃ、イエロー画像形成ユニット１Ｙ及びブラック画像形成ユニット１Ｋを備えている。
【００２３】
上記各画像形成ユニット１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、露光装置３ａ，３ｂ，３ｃ，３ｄ、帯電器４ａ，４ｂ，４ｃ，４ｄ、現像装置５ａ，５ｂ，５ｃ，５ｄ、一次転写ローラ６ａ，６ｂ，６ｃ，５ｄ及びクリーニング装置７ａ，７ｂ，７ｃ，７ｄがそれぞれ配置されている。
【００２４】
ここで、前記感光ドラム２ａ〜２ｄは、ドラム状の感光体であって、不図示の駆動モータによって図示矢印方向（反時計方向）に所定のプロセススピードで回転駆動される。又、前記露光装置３ａ〜３ｄは各色の画像信号に対応するレーザー光を各感光ドラム２ａ〜２ｄに向けて照射することによって各感光ドラム２ａ〜２ｄ上に静電潜像を形成するものであり、前記帯電器４ａ〜４ｄは、不図示の帯電バイアス電源から印加される帯電バイアスによって感光ドラム２ａ〜２ｄの表面を所定の電位に均一に帯電させるものである。
【００２５】
更に、前記現像装置５ａ〜５ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２６】
又、前記一次転写ローラ６ａ〜６ｄは、各一次転写部にて無端状の中間転写ベルト８を介して各感光ドラム２ａ〜２ｄに当接可能に配置されている。ここで、中間転写ベルト８は、二次転写対向ローラ９と駆動ローラ１０及び複数のテンションローラ１１，１２，１３との間に張設されて各感光ドラム２ａ〜２ｄの下面側に図示矢印方向（時計方向）に走行可能に配置されており、前記二次転写対向ローラ９は、二次転写部において中間転写ベルト８を介して二次転写ローラ１４に当接可能に配置されている。
【００２７】
前記用紙収納部７０は、複数枚の用紙が積層収容された着脱可能な３つの給紙カセット７１，７２，７３を備えており、各給紙カセット７１〜７３の近傍には、各給紙カセット７１〜７３内の用紙を上位のものから順次取り出すピックローラ１５と、取り出された用紙を１枚ずつ分離して送り出すフィードローラ１６とリタードローラ１７がそれぞれ配設されている。又、バイパストレイ７４の近傍には、バイパス搬送手段としてのピックローラ１５、フィードローラ１６、リタードローラ１７及び搬送ローラ１８が設けられている。尚、図１において１９は搬送ローラである。
【００２８】
前記転写搬送ユニット８０は、用紙収納部７０から送り出された用紙を適当なタイミングで画像形成部１へと搬送するとともに、画像形成部１において画像が形成された用紙を不図示の排紙トレイへと排出するものであって、用紙収納部７０から二次転写部（二次転写対向ローラ９と二次転写ローラ１４の当接部）に至る第１搬送経路Ｌ１に配置されたレジストローラ２０、前記二次転写ローラ１４、二次転写部から排紙手段としての後述の排紙ローラ２４に至る第２搬送経路Ｌ２に設けられた搬送ベルト２１、定着装置２２と搬送ローラ２３及び排紙ローラ２４を備えている。ここて、定着装置２２は、圧接状態で互いに回転する定着ローラ２２ａと加圧ローラ２２ｂを備えている。
【００２９】
又、転写搬送ユニット８０は、画像形成装置本体１００に対して着脱可能であって、該転写搬送ユニット８０には、第２搬送経路Ｌ２から分岐して両面搬送ユニット９０の反転ローラ２５と反転コロ２６に至る横Ｕ字状の第３搬送経路Ｌ３が設けられており、その途中には搬送ローラ２７が設けられている。又、転写搬送ユニット８０には前記第３搬送経路Ｌ３とは別に反転搬送経路Ｌ３’が第２搬送経路Ｌ２から分岐して下方に延びており、その途中には搬送ローラ２８が設けられている。そして、第２搬送経路Ｌ２と第３搬送経路Ｌ３との分岐部には、用紙の搬送方向を切り換えるためのフラッパ２９が回動可能に設けられている。
【００３０】
前記両面搬送ユニット９０は、画像形成部１において画像が形成された用紙の表裏を反転させるものであって、前記第３搬送経路Ｌ３と反転搬送経路Ｌ３に連なる中間トレイ３０とその下方に配された第４搬送経路Ｌ４を備えており、中間トレイ３０には、正逆転可能な前記反転ローラ２５と、該反転ローラ２５に対して圧接／離間する前記反転コロ２６が設けられている。
【００３１】
又、両面搬送ユニット９０には大径の再給紙ローラ３２が回転可能に設けられており、この再給紙ローラ３２の外周には小径のローラ３３，３４が回転可能に当接している。尚、再給紙ローラ３２には不図示の一方向クラッチが設けられている。そして、反転手段を構成する前記反転ローラ２５と反転コロ２６からは第１搬送経路Ｌ４が延びており、この第４搬送経路Ｌ４は前記第１搬送経路Ｌ１に合流している。
【００３２】
上記第４搬送経路Ｌ４には、搬送ローラ３５が用紙搬送方向に沿って複数設けられている。又、再給紙ローラ３２の近傍には、中間トレイ３０に一旦引き込まれた用紙の搬送方向を切り換えるためのフラッパ３６が回動可能に設けられている。尚、本実施の形態では、両面搬送ユニット９０の第４搬送経路Ｌ４には、２枚以上の用紙を保留可能な２つ以上の用紙保留位置が備えられている。
【００３３】
次に、以上の構成を有するカラー複合機の画像形成動作について説明する。
【００３４】
例えば、自動原稿搬送装置４０の原稿トレイ４１にセットされた図２に示す原稿が原稿読取部であるコンタクトガラス５０ａ（図２参照）上に自動的に搬送され、その原稿Ｇの画像が原稿読取装置５０によって光学的に読み取られる。
【００３５】
上述のように原稿の画像が原稿読取装置５０によって光学的に読み取られると、画像形成部１においては、各画像形成ユニット１Ｍ，１Ｃ，１Ｙ，１Ｋにおいて各感光ドラム２ａ〜２ｄが図示矢印方向（反時計方向）に所定のプロセススピードで回転駆動され、これらの感光ドラム２ａ〜２ｄは、帯電器４ａ〜４ｄによって一様に帯電される。又、露光装置３ａ〜３ｄは、原稿読取装置６０によって読み取られた画像の各色毎の信号によって変調されたレーザー光を出射し、そのレーザー光を各感光ドラム２ａ〜２ｄの表面に照射し、各感光ドラム２ａ〜２ｄ上に各色のカラー画像信号に対応した静電潜像をそれぞれ形成する。
【００３６】
そして、先ず、マゼンタ画像形成ユニット１Ｍの感光ドラム２ａ上に形成された静電潜像に、該感光ドラム２ａの帯電極性と同極性の現像バイアスが印加された現像装置５ａによってマゼンタトナーを付着させ、該静電潜像をマゼンタトナー像として可視像化する。このマゼンタトナー像は、感光ドラム２ａと一次転写ローラ６ａとの間の一次転写部（転写ニップ部）において、トナーと逆極性の一次転写バイアスが印加された一次転写ローラ６ａの作用によって、図示矢印方向に回転駆動されている中間転写ベルト８上に一次転写される。
【００３７】
上述のようにしてマゼンタトナー像が一次転写された中間転写ベルト８は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト８上のマゼンタトナー像に重ねて転写される。
【００３８】
以下同様にして、中間転写ベルト８上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト８上にはフルカラーのトナー像が形成される。尚、中間転写ベルト８上に転写されないで各感光ドラム２ａ〜２ｄ上に残留する転写残トナーは、各クリーニング装置７ａ〜７ｄによって除去され、各感光ドラム２ａ〜２ｄは次の画像形成に備えられる。
【００３９】
他方、用紙収納部７０の例えば給紙カセット７２内に収容された用紙は、ピックローラ１５によって最上位のものから１枚ずつピックアップされ、フィードローラ１６とリタードローラ１７によって１枚ずつ分離されて搬送ローラ１９によって第１搬送経路路Ｌ１をレジストローラ２０へと搬送される。そして、レジストローラ２０においては、用紙は、一時待機状態とされた後、中間転写ベルト８上のトナー像に同期する所定のタイミングで二次転写対向ローラ９と二次転写ローラ１４との当接部である二次転写部へと供給される。
【００４０】
二次転写部においては、転写ベルト８上に担持されたフルカラーのトナー像が二次転写ローラ１４の作用によって用紙の表面（第１面）上に一括転写される。そして、トナー像が転写された用紙は、搬送ベルト２１によって定着装置２２へと搬送され、この定着装置２２の定着ローラ２２ａと加圧ローラ２２ｂ間の定着ニップを通過する過程で加熱及び加圧されてトナー像の定着を受ける。
【００４１】
而して、定着装置２２にて表面にトナー像が定着された用紙は、フェースアップ排紙（ＦＵ排紙）が選択されている場合には、フラッパ２９によってその搬送方向が決定され、用紙は第２搬送経路Ｌ２をそのまま排紙ローラ２４に向かって搬送され、排紙ローラ２４によって画像面を上にして不図示の排紙トレイへと排出される。
【００４２】
一方、フェースダウン排紙（ＦＤ排紙）又は両面画像モードが選択された場合には、フラッパ２９が動作して用紙の搬送方向が切り換えられ、定着装置２２を通過した用紙は横Ｕ字状の第３搬送経路Ｌ３を通って両面搬送ユニット９０へと搬送される。
【００４３】
両面搬送ユニット９０においては、反転コロ２６は反転ローラ２５から離間した状態で待機しており、用紙が両面搬送ユニット９０に或る一定以上送られると、反転コロ２６は反転ローラ２５に圧接される。このように反転コロ２６が反転ローラ２５に圧接されると、反転ローラ２５が正転されて用紙が送られてきた方向に引き込まれ、用紙が或る一定以上引き込まれると反転ローラ２５が逆転されて用紙がスイッチバックされて反転搬送経路Ｌ３’又は第４搬送経路Ｌ４へと送られる。即ち、フェースダウン排紙が選択されている場合には、フラッパ３６によって用紙の搬送方向が反転搬送経路Ｌ３’へと切り換えられ、用紙は画像面を下にした状態で排紙ローラ２４によって不図示の排紙トレイへと排出される。
【００４４】
又、用紙の両面に画像を形成する場合には、フラッパ３６によって用紙の搬送方向が第４面搬送経路Ｌ４の方向に切り換えられ、用紙は、再給紙ローラ３２と搬送ローラ３５によって第４搬送経路Ｌ４を画像面を上にして搬送され、第４搬送経路Ｌ４から第１搬送経路Ｌ１へと受け渡されることによって表裏が反転されて画像面を下にした状態でレジストローラ２０へと送られる。そして、以後は前述と同様のプロセスを経て用紙の反対面（第２面）にトナー像が形成され、このトナー像が形成された用紙は、定着装置２２によってトナー像の定着を受けた後に排紙ローラ対２４によって不図示の排紙トレイへと排出され、該用紙の両面に画像が形成される。
【００４５】
尚、以上はカセット給紙を行う場合について説明したが、手差し給紙を行う場合には、バイパストレイ７４上にセットされた用紙は、ピックローラ１５によって最上位のものから１枚ずつピックアップされ、フィードローラ１６とリタードローラ１７によって１枚ずつ分離されて搬送ローラ１８によって第１搬送経路Ｌ１をレジストローラ２０へと搬送され、以後は前記と同様のプロセスを経て該用紙に画像が形成される。
［画像読取装置］
次に、本発明に係る前記画像読取装置５０の構成を図２〜図７に基づいて説明する。
【００４６】
図２は本発明に係る画像読取装置の副走査方向の縦断面図、図３は同画像読取装置の走査体の斜視図、図４は同画像読取装置の走査体に絶縁部材を取り付けた状態を示す斜視図、図５は同画像読取装置の走査体に絶縁部材とＬＥＤ基板を取り付けた状態を示す斜視図、図６は同画像読取装置の走査体に絶縁部材とＬＥＤ基板及び導光体を取り付けた状態を示す斜視図、図７は図６のＡ−Ａ線断面図である。
【００４７】
図２に示すように、画像読取装置５０は、筐体を構成する箱状構造体である光学フレーム５１を備えており、この光学フレーム５１の上面にはコンタクトガラス５０ａが設けられている。
【００４８】
又、光学フレーム５１の内部には、副走査方向に移動可能な第１及び第２キャリッジ５２，５３が収容されている。ここで、第１キャリッジ５２には、コンタクトガラス５０ａ上に載置された原稿Ｇを照明する照明部５４と、原稿Ｇにて反射した読取光（反射光）を９０°方向に反射させる第１反射ミラー５５が設けられており、第２キャリッジ５３には、第１反射ミラー５５にて反射した反射光を９０°方向に反射させる第２反射ミラー５６と、該第２反射ミラー５６にて反射した反射光を更に９０°方向に反射させる第３反射ミラー５７が設けられており、これらの第１及び第２キャリッジ５２，５３は、不図示のガイドレールに沿って副走査方向（図２の左右方向）に移動する。
【００４９】
更に、光学フレーム５１の内部には結像レンズ５８と撮像素子であるＣＣＤ５９が収容されており、前記第３反射ミラー５７にて反射した原稿Ｇからの反射光は、結像レンズ５８によって収束した後にＣＣＤ５９に入射し、該ＣＣＤ５９上に結像される。
【００５０】
ところで、前記照明部５４は、光源として図５に示すように主走査方向（図５の左右方向）に列状（アレイ状）に配設された発光素子である複数のＬＥＤ６０を使用するものであって、これらのＬＥＤ６０は主走査方向に細長いＬＥＤ基板６１上に実装されている。又、ＬＥＤ基板６１上のＬＥＤ６０の光出射方向前方（図７の左方）には主走査方向（図７の紙面垂直方向）に長い導光体６２が固定されている。この導光体６２は、アクリル樹脂等の透明樹脂又はガラスによって構成されており、前記ＬＥＤ６０に対向する垂直な面は入光面６２ａを構成しており、他側の上下に分岐する斜面と垂直面は第１の出光面６２ｂと第２の出光面６２ｃをそれぞれ構成している。そして、導光体６２の底面の主走査方向中央と主走査方向両端部には計３つの円柱状の位置決めボス６２ｄ（図７参照）が一体に突設されている。
【００５１】
又、図７に示すように、上記導光体６２の第２の出光面６２ｃに対向する位置には、主走査方向に長いリフレクタ６３が斜めに配置されている。
【００５２】
而して、複数のＬＥＤ６０が実装されたＬＥＤ基板６１と導光体６２は筐体としての板金製の走査体６４によって支持されているが、図３に示すように、該走査体６４には主走査方向に長いスリット状の開口部６４Ａが形成されている。又、走査体６４の導光体６２に形成された３つの位置決めボス６２ｄに対応する位置、即ち、主走査方向中央には円孔状の位置決め孔６４ａが形成され、主走査方向両端部には長孔状の位置決め孔６４ｂ，６４ｃがそれぞれ形成されている。
【００５３】
又、図５に示すように、ＬＥＤ基板６１の走査体６４に形成された位置決め孔６４ａ〜６４ｃに対応する位置、即ち、主走査方向中央と両端部には長孔状の位置決め孔６１ａと円孔状の位置決め孔６１ｂ，６１ｃがそれぞれ形成されている。
【００５４】
ところで、図７に示すように、ＬＥＤ基板６１と走査体６４との間には絶縁部材６５が介装されており、この絶縁部材６５によってＬＥＤ基板６１と走査体６４とが電気的に絶縁されている。ここで、図４に示すように、絶縁部材６５の走査体６４に形成された位置決め孔６４ａ〜６４ｃ（図３参照）とＬＥＤ基板６１に形成された位置決め孔６１ａ〜６１ｃ（図５参照）に対応する位置、即ち、主走査方向中央と両端部には長孔状の位置決め孔６５ａと円孔状の位置決め孔６５ｂ，６５ｃがそれぞれ形成されている。
【００５５】
而して、金属製の走査体６４の開口部６４Ａの主走査方向両側部分の表面（図３において斜線を付した部分）は、原稿Ｇ又はコンタクトガラス５０ａで反射した光が再び反射してフレア光を発生する部分となる可能性がある部分であるが、本実施の形態では、図４及び図５に示すように、この部分は絶縁部材６５によって覆われている。具体的には、絶縁部材６５の主走査方向両端部にはリフレクタ６３側に向かって一体に延びる延長部６５Ａが形成されており、その左右の延長部６５Ａが走査体６４の開口部６４Ａの主走査方向両側部分を覆っている。ここで、絶縁部材６５の少なくとも延長部６５Ａの表面を黒色表面又は拡散表面とすることが好ましい。
【００５６】
以上のような構成を有する照明部５４は以下の手順で組み立てられる。
【００５７】
即ち、図３に示す走査体６４の上に図４に示すように絶縁部材６５が載置され、この絶縁部材６５の上に図５に示すようにＬＥＤ基板６１が重ねられる。このとき、走査体６４に形成された３つの位置決め孔６４ａ〜６４ｃと絶縁部材６５に形成された３つの位置決め孔６５ａ〜６５ｃ及びＬＥＤ基板６１に形成された３つの位置決め孔６１ａ〜６１ｃ同士は互いに合致する。そして、この状態から導光体６２をＬＥＤ基板６１上に重ね、該導光体６２の底面に突設された３つの位置決めボス６２ｄを図７に示すように走査体６４に形成された３つの位置決め孔６４ａ〜６４ｃと絶縁部材６５に形成された３つの位置決め孔６５ａ〜６５ｃ及びＬＥＤ基板６１に形成された３つの位置決め孔６１ａ〜６１ｃに通せば、これらが互いに高精度に位置決めされる。
【００５８】
次に、以上のように構成された画像読取装置５０の画像読取動作について説明する。
【００５９】
例えば、図１に示す自動原稿搬送装置４０の原稿トレイ４１にセットされた原稿Ｇが原稿読取部であるコンタクトガラス５０ａ上に自動的に搬送され、その原稿Ｇの画像が画像読取装置５０によって光学的に読み取られる。
【００６０】
即ち、第１キャリッジ５２と第２キャリッジ５３が不図示のガイドレールに沿って副走査方向（図２の左右方向）に移動しながらコンタクトガラス５０ａ上に載置された原稿Ｇを走査すると、第１キャリッジ５２のＬＥＤ６０から出射する光は導光体６２の入光面６２ａから該導光体６２内に入射する。この導光体６２内に入射した光は導光体６２を通過するが、第１の出光面６２ｂから出射する光は原稿Ｇに直接向かい、第２の出光面６２ｃから出射する光はリフレクタ６３にて反射した後に原稿Ｇに向かい、原稿Ｇはこれらの光によって照明される。そして、これらの光は原稿Ｇにて反射し、その反射光は、第１キャリッジ５２の第１反射ミラー５５にて９０°方向に反射した後、第２キャリッジ５３の第２反射ミラー５６と第３反射ミラー５７にて９０°方向にそれぞれ反射し、結像レンズ５８によって収束した後にＣＣＤ５９に入射し、該ＣＣＤ５９によって読み取られて電気信号に変換される。
【００６１】
上述のようにして原稿Ｇの画像が画像読取装置５０によって光学的に読み取られると、前述のように露光装置３ａ〜３ｄ（図１参照）は、原稿読取装置５０によって読み取られた画像の各色毎の信号によって変調されたレーザー光を出射し、図１に示すカラー複合機において前述のような画像形成動作が行われてカラー画像が形成される。
【００６２】
以上のように本発明に係る画像読取装置５０においては、既存の絶縁部材６５の一部を延ばし、その延ばした延長部６５Ａで走査体６４の開口部６４Ａの主走査方向両側部分を覆うようにしたため、原稿Ｇ又はコンタクトガラス５０ａで反射した反射光の走査体６４での反射が防がれ、部品点数の増加やコストコストアップ、組立性の悪化等を招くことなく、簡単な構成でフレア光対策を施すことができる。この結果、図１に示すカラー複合機においてフレア光に伴う白縦筋画像等の発生が防がれ、高質のカラー画像が安定的に得られる。この場合、絶縁部材６５の少なくとも走査体６４を覆う延長部６５Ａの表面を黒色表面又は拡散表面とすれば、黒色表面によって反射光が吸収され、或いは拡散表面によって反射光が拡散されるため、フレア光の発生が効果的に防がれる。
【００６３】
又、本発明に係る画像読取装置５０においては、導光体６２に形成された３つの位置決めボス６２ｄをＬＥＤ基板６１に形成された３つの位置決め孔６１ａ〜６１ｃと絶縁部材６５に形成された３つの位置決め孔６５ａ〜６５ｃ及び走査体６４に形成された３つの位置決め孔６４ａ〜６４ｃに通すことによってＬＥＤ基板６１と導光体６２及び絶縁部材６５を走査体６４に対して位置決めするようにしたため、絶縁部材６５の延長部（走査体６４の開口部６４Ａの主走査方向両側部分を覆う部分）６５Ａが走査体６４の開口部６４Ａに突出して該開口部６４Ａを通過する読取光を遮ることがなく、読取動作が正常に安定的になされるという効果が得られる。
【００６４】
尚、本実施の形態では、本発明をカラー複合機及びこれに備えられた画像読取装置に対して適用した例について説明したが、本発明は、単体としての複写機、プリンタ、ファクシミリ等の他の任意の画像形成装置及びこれに備えられた画像読取装置に対しても同様に適用可能であることは勿論である。
【符号の説明】
【００６５】
１              画像形成部
１Ｍ            マゼンタ画像形成ユニット
１Ｃ            シアン画像形成ユニット
１Ｙ            イエロー画像形成ユニット
１Ｋ            ブラック画像形成ユニット
４０            自動原稿搬送装置
５０            原稿読取装置
５０ａ          コンタクトガラス
５１            光学フレーム
５２            第１キャリッジ
５３            第２キャリッジ
５４            照明部
５５            第１反射ミラー
５６            第２反射ミラー
５７            第３反射ミラー
５８            結像レンズ
５９            ＣＣＤ
６０            ＬＥＤ（発光素子）
６１            ＬＥＤ基板（基板）
６１ａ〜６１ｃ  ＬＥＤ基板の位置決め孔
６２            導光体
６２ｄ          導光体の位置決めボス
６３            リフレクタ
６４            走査体
６４Ａ          走査体の開口部
６４ａ〜６４ｃ  走査体の位置決め孔
６５            絶縁部材
６５Ａ          絶縁部材の延長部
６５ａ〜６５ｃ  絶縁部材の位置決め孔
７０            用紙収納部
８０            転写搬送ユニット
９０            両面搬送ユニット
１００          画像形成装置本体
【図１】
0005538183.tif 000002
【図２】
0005538183.tif 000003
【図３】
0005538183.tif 000004
【図４】
0005538183.tif 000005
【図５】
0005538183.tif 000006
【図６】
0005538183.tif 000007
【図７】
0005538183.tif 000008
【図８】
0005538183.tif 000009